(57)【要約】【課題】吸入弁が弁座に着座する時に発生する叩き音を防ぐことを目的とする。【解決手段】弁ケース２１ｂの弁体収納室２１ｃ内に配され、しかもばね２１ｅにより弁座２１ａに着座された吸入弁の弁体２１ｄとより成る弁装置において、前記弁ケース２１ｂの側面に開口する穴２１ｆの少なくとも弁体２１ｄ側端が前記弁体２１ｄのばね受部２１ｉから離れた位置に形成されたものとする。【選択図】  図３
2004190555.tif 000002
【特許請求の範囲】
【請求項１】
弁ケースの弁体収納室内に配され、ばねにより弁座に着座された弁体より成る弁装置において、
前記弁ケースの側面に開口する穴が前記弁体のばね受部から離れた位置に形成されたことを特徴とする電磁ポンプの弁装置。
【請求項２】
前記穴の弁体側端から弁体のばね受部までの寸法が前記弁体の厚み程であることを特徴とする請求項１記載の電磁ポンプの弁装置。
【発明の詳細な説明】
【０００１】
【発明の属する技術分野】
この発明は、弁装置に係り、特に電磁ポンプの弁装置に関するものである。
【０００２】
【従来の技術】
電磁ポンプは、電磁力で往復動されるピストンと、このピストンと協動する吸入弁と吐出弁とを備え、前記ピストンの往復動によるポンプ室内の容積の変動により、該ポンプ室内の圧力が変化され、負圧時に吸入弁を開いて流体を吸入し、加圧（正圧）時に吐出弁を開けて流体を流出させるポンプ作用を行っている。
【０００３】
例えば特許文献１に示すように、吸入弁２１と吐出弁２３とは、その弁座２３ａ，２１ａと蓋２４とで一体化された吸入吐出弁ユニット８０となって、ポンプ本体１７に形成の孔８１に挿入されて取り付けられている。この吸入吐出弁ユニット８０を図４に示すように拡大して見ると、吸入弁２１は、吸入弁座２１ａを持ち、下記する吐出弁ケース２３ｂに係合する吸入弁ケース２１ｂと、この吸入弁ケース２１ｂに形成の弁体収納室２１ｃ内に配された弁体２１ｄと、この弁体２１ｄを前記弁座２１ｂに押圧するスプリング２１ｅより成ると共に、前記吸入弁ケース２１ｂには、穴２１ｆが形成されている。
【０００４】
吐出弁２３は、吐出弁座２３ａを持ち、蓋２４が被嵌する吐出弁ケース２３ｂと、この吸入弁ケース２３ｂに形成の弁体収納室２３ｃ内に配された弁体２３ｄと、この弁体２３ｄを前記弁座２３ｂに押圧するスプリング２３ｅより成ると共に、前記吐出弁ケース２３ｂには穴２３ｆが形成されている。
【０００５】
【特許文献１】特開平８−１８９４６１号公報
【０００６】
【発明が解決しようとする課題】
前述したように、吸入弁２１の近傍には、図示しないピストンとシリンダとより成るポンプ室３０が形成されており、このポンプ室３０はピストンの往復動で容積変化され、容積の拡大時には、吸入弁２１の弁体２１ｄが開けられて流体は吸入されるが、容積の縮小時には、加圧されて流体はポンプ室３０から弁体収納室２１ｃへ矢印のように高速で流れ込む。
【０００７】
その際、吸入弁ケース２１ｂに形成の穴２１ｆが吸入弁の弁体２１ｄの遠心方向位置に開口しており、流れ込んだ流体が弁体２１ｄの側面に当たり該弁体をずらすことになる。したがって、弁体２１ｄの弁座２１ａへの着座は、ピストンの上死点位置から遅延時間差が発生し、そして弁体収納室２１ｃが高い圧力に達してから弁体２１ｄが弁座２１ａに着座することになる。即ち、閉止加速力が大きくなって叩き音が発生していた。
【０００８】
そこで、この発明は、吸入弁の弁体が弁座に着座する際に起こる叩き音の発生を防止しようとするものである。
【０００９】
【課題を解決するための手段】
この発明に係る電磁ポンプの弁装置は、弁ケースの弁体収納室内に配され、ばねにより弁座に着座された弁体より成る弁装置において、前記弁ケースの側面に開口する穴が前記弁体のばね受部から離れた位置に形成したものである（請求項１）。これにより、ピストンが下降する加圧時にポンプ室からの高圧高速の流体は穴から弁体収納室内に流入するが、その流れが弁体の側面に当たらず、ばね受部方向から閉じる方向に押圧することから、ピストンの上死点位置から弁体の弁座への着座するまでの遅延時間差を小さくし、弁体の弁座への着座時の叩き音の発生を防ぐことができる。
【００１０】
また、使用例では、穴の弁体側端から弁体のばね受部までの寸法が前記弁体の厚み程であれば（請求項２）、叩き音の減少に最も良い結果となる。
【００１１】
【発明の実施の形態】
まず、図１，図２にあって、この発明に係る弁装置が用いられる電磁ポンプ１を説明し、その後に弁装置２８を説明する。電磁ポンプ１は、断続電流（パルス電流）が流される電磁コイル２を備え、該電磁コイル２は樹脂製のボビン３に巻装されている。前述のボビン３の中心貫通穴に金属性で非磁性材のガイドパイプ５が縦方向に設けられている。このガイドパイプ５は、上端が磁気ロッド４に接触し、下端が下記するポンプ本体１７に接触している。６は前記磁気ロッド４に貫通する縦穴で、図示しない吐出口に通じている。
【００１２】
電磁プランジャ９は、磁性体で上部ばね１０ａと下部ばね１０ｂとでガイドパイプ５より成る電磁プランジャ作動室１１内に支持され、縦孔１２を介して上部ばね室１１ａと下部ばね室１１ｂは連通している。この電磁プランジャ９の下端は、下記するピストン１４が固着されている。
【００１３】
ピストン１４は、前述したごとく電磁プランジャ９に固着され、シリンダ１６内に挿入され、該電磁プランジャ９の往復動に伴って往復動されている。なお、シリンダ１６はポンプ本体１７にオーリング１８を介して支えられている。また、このシリンダ１６は前記下端ばね１０ｂの下端を支えている。
【００１４】
ポンプ室２０は前記ピストン１４の先端が一面をなし、該ピストンの往復動で、該室２０内の圧力変化が生じ、負圧になると、下記する吸入弁２１を開いて吸入孔２２から流体を吸い込み、逆に正圧になると、吐出弁２３を開けて圧力下記する圧力調整装置３０を介して前記プランジャ作動室１１内へ吐出される。
【００１５】
弁装置２８は、図３に全体の拡大図が示され、吸入弁２１と吐出弁２３とが連設されて構成され、まず吸入弁２１から説明すると、弁ケース２１ｂは、中心に通孔２１ｇを持つ弁座２１ａと、その左側に連なって大径の弁収納室２１ｃとが形成され、最も左端に吐出弁２３の弁ケース２３ｂに係合するつめ２１ｈが設けられている。
【００１６】
この吸入弁の弁ケース２１ｂの前記弁収納室２１ｃに弁体２１ｄが配され、ばね２１ｅにて押圧され、前記弁座２１ａに着座されている。また、弁ケース２１ｂの側面の適所に複数個の穴２１ｆが形成され、この穴２１ｆを介して弁収納室２１ｃが前記ポンプ室２０と連通している。吸入弁２１に形成の穴２１ｆの形成位置は、該穴２１ｆの弁体側端が前記弁体２１ｄのばね受部２１ｉまでで、その寸法Ｌが、弁体２１ｄの厚みに略等しい値となっている。なお２１ｊはオーリング２５が収納されるオーリング溝である。
【００１７】
吐出弁２３は、その弁ケース２３ｂが、中心に通孔２３ｇを持つ弁座２３ａと、その左側に連なって大径の弁収納室２３ｃとが形成され、最も左端に蓋２４に係合するつめ２３ｈが形成されている。また外周の右側に環状の溝２３ｊ及びオーリング２６が収納の溝２３ｋが形成されている。
【００１８】
この吐出弁２３の弁ケース２３ｂが前記弁収納室２３ｃに弁体２３ｄが配され、ばね２３ｅにて押圧され、前記弁座２３ａに着座されている。また、弁ケース２３ｂの適所に複数個の穴２３ｆが形成され、この穴２３ｆを介して弁収納室２３ｃが前記プランジャ作動室１１と連通されている。なお、蓋２４は、その外周に吐出弁２３のつめ２３ｈと係合する環状の溝２４ａとオーリング２７が収納される溝２４ｂとが形成されている。
【００１９】
圧力調整装置３０は、前記吐出弁２３より前記プランジャ作動室１１に至る流路４７に設けられ、該流路４７には、弁３８が配され、この弁３８と絞り孔３９とで吐出圧力を用いて流路面積を適宜に絞り、流れる流体の流量から所定に圧力に制御しているもので、具体的には、弁３８がばね４０にて弁座４１に着座する方向に押圧されると共に、下記する受圧プランジャ４３に取り付けられたロッド４２によりばね４０の反伸長方向に押圧されて、両者４０，４２から押圧力が均衡する位置に該弁３８は保持される。
【００２０】
受圧プランジャ４３は、ボア４４内に摺動自在に配され、前面で吐出圧力を受け、後面で調圧ばね４５から付勢されており、この受圧プランジャ４３の位置がロッド４２を介して前記弁３８に伝えられる。なお調圧ボルト４６を回動することで、調圧ばね４５のセット力を調整でき、所定圧力に調圧できるものである。
【００２１】
次に、上述のような電磁ポンプ１に断続電流（パルス電流）を電磁コイル２に通電すると、電磁コイル２に断続する磁力が発生し、電磁プランジャ９及びピストン１４が往復動し、該ピストン１４の上昇時には、ポンプ室２０の容積が増加方向となり、該ポンプ室２０の圧力が吸入孔２内の圧力よりも低くなって、吸入弁２１を開けて流体を吸込み、上死点に達するとポンプ室の容積の増加が止まり、流体の吸込を止め、ピストン１４の下降時に至ると、ポンプ室の容積が減少方向となり、該ポンプ室２０の圧力が吐出弁２３よりも後流側の圧力より高くなって、吐出弁２３を開いて流体を流出させ、このような動作を繰り返すことでポンプ作用が行われる。
【００２２】
そして、前述したピストン１４の下降時には、流体が高圧且つ高速で穴２１ｆを介して弁収納室２１ｃ内に流入する。その流体の流れは矢印のように弁体２１ｄ側にも流れるため、その流体の高圧を弁体２１ｄのばね受部２１ｉ側から受けて、弁体２１ｄを押し付けるため、ピストンの上死点位置からの着座までの遅延時間差を小さくできる。これにより、吸入弁の叩き音の発生が防がれる。
【００２３】
【発明の効果】
以上のように、この発明によれば、吸入弁の弁ケースに開口の穴から弁収納室内に流入する高圧高速の流体が吸入弁の弁体の側面に当たらず、弁体の弁座への着座の遅れ（ピストンの上死点位置からの遅れ時間）を小さくし、早めに弁座に着座させることができるようになって、叩き音の発生を防ぐことができる。
【図面の簡単な説明】
【図１】この発明の弁装置が用いられる電磁ポンプの縦断面図である。
【図２】同上の横断面図である。
【図３】弁装置の断面図である。
【図４】従来の弁装置の断面図である。
【符号の説明】
１  電磁ポンプ
２  電磁コイル
９  電磁プランジャ
１４  ピストン
１６  シリンダ
２１  吸入弁
２１ａ  弁座
２１ｂ  弁ケース
２１ｃ  弁体収納室
２１ｄ  弁体
２１ｅ  ばね
２１ｆ  穴
２１ｇ  通孔
２１ｈ  つめ
２１ｉ  ばね受部
２１ｊ  溝
２３  吐出弁
２３ｄ  弁体
２４  蓋
【図１】
2004190555.tif 000003
【図２】
2004190555.tif 000004
【図３】
2004190555.tif 000005
【図４】
2004190555.tif 000006